(57)【要約】【課題】  リモコン装置の簡略化が可能な照明器具及び該照明器具を用いた照明システムを提供する。【解決手段】  電源が投入されたときｔ０から所定時間Ｔ１にわたり、自身の識別情報を示す光信号を送信する。識別情報を要求する所定の無線信号がリモコン装置から受信されたときのみ上記の光信号の送信が行われる場合に比べ、リモコン装置において上記所定の無線信号を送信させる操作のための押釦等を設ける必要がないことにより、リモコン装置の簡略化が可能となる。【選択図】図１
2014216855.tif 000002
【特許請求の範囲】
【請求項１】
電気的な光源を駆動する光源駆動回路と、
無線信号を受信する受信回路と、
前記受信回路に受信された無線信号のうち予め割り当てられた識別情報を含む無線信号に応じて前記光源駆動回路を制御する制御回路とを備え、
前記制御回路は、電源が投入されてから所定時間にわたり、前記識別情報を示す光信号を送信するように前記光源駆動回路を制御する光送信動作を行うことを特徴とする照明器具。
【請求項２】
前記制御回路は、前記光源駆動回路が前記光源を点灯させている期間中、前記光送信動作を定期的に行うことを特徴とする請求項１記載の照明器具。
【請求項３】
前記制御回路は、前記光送信動作中、前記光源の光束のピーク値を、前記光送信動作の終了後の光束よりも低くするように、前記光源駆動回路を制御することを特徴とする請求項１又は請求項２記載の照明器具。
【請求項４】
請求項１〜３のいずれか１項に記載の照明器具と、リモコン装置とを備え、
前記リモコン装置は、
操作入力を受け付ける操作部と、
前記無線信号を送信する送信部と、
前記光信号を受信する光受信部と、
前記光受信部に受信された前記光信号に示された識別情報を記憶する記憶部と、
前記操作部に受け付けられた操作入力と前記記憶部に記憶された識別情報とに応じた無線信号を送信するように前記送信部を制御する制御部とを備えることを特徴とする照明システム。
【発明の詳細な説明】
【技術分野】
【０００１】
本発明は、照明器具及び該照明器具を用いた照明システムに関するものである。
【背景技術】
【０００２】
従来から、リモコン装置から送信される無線信号に応じて動作する照明器具が提供されている。リモコン装置は例えば押釦スイッチにより操作入力を受け付ける操作部を有し、操作部に加えられた操作入力に応じた無線信号を送信する。
【０００３】
複数個の照明器具が近接配置されている場合に、所望の照明器具のみを制御可能とするために、各照明器具には照明器具毎に固有の識別情報（ＩＤやアドレスと呼ばれるもの）が予め記憶されている。そして、無線信号には制御の対象となる照明器具の識別情報が含まれ、各照明器具は、自己の識別情報を含む無線信号によって制御される。
【０００４】
ここで、リモコン装置によって照明器具を制御可能とするために、リモコン装置には照明器具の識別情報が予め記憶される必要がある。
【０００５】
リモコン装置に照明器具の識別情報を入力する方法としては、識別情報を示す光信号を照明器具からリモコン装置に送信するという方法が考えられる（例えば、特許文献１参照）。上記の光信号の媒体としては、照明用の光源の光を用いることができる。
【０００６】
上記のように光信号を用いれば、識別情報を手入力でリモコン装置に入力する場合に比べ、識別情報を入力する操作の簡略化が可能となる。
【先行技術文献】
【特許文献】
【０００７】
【特許文献１】特開２０１０−１５３１００号公報
【発明の概要】
【発明が解決しようとする課題】
【０００８】
従来は、照明器具が上記の光信号を送信するタイミングは、リモコン装置に所定の操作入力が加えられたときにリモコン装置が送信する所定の無線信号（通信用制御信号）を受信したタイミングとされていた。
【０００９】
しかし、上記従来構成においては、リモコン装置には上記所定の操作入力を受け付けるためのモード切替スイッチ等を設ける必要があるため、リモコン装置が複雑化していた。
【００１０】
本発明は、上記事由に鑑みて為されたものであり、その目的は、リモコン装置の簡略化が可能な照明器具及び該照明器具を用いた照明システムを提供することにある。
【課題を解決するための手段】
【００１１】
本発明の照明器具は、電気的な光源を駆動する光源駆動回路と、無線信号を受信する受信回路と、前記受信回路に受信された無線信号のうち予め割り当てられた識別情報を含む無線信号に応じて前記光源駆動回路を制御する制御回路とを備え、前記制御回路は、電源が投入されてから所定時間にわたり、前記識別情報を示す光信号を送信するように前記光源駆動回路を制御する光送信動作を行うことを特徴とする。
【００１２】
上記の照明器具において、前記制御回路は、前記光源駆動回路が前記光源を点灯させている期間中、前記光送信動作を定期的に行うことが望ましい。
【００１３】
また、上記の照明器具において、前記制御回路は、前記光送信動作中、前記光源の光束のピーク値を、前記光送信動作の終了後の光束よりも低くするように、前記光源駆動回路を制御することが望ましい。
【００１４】
本発明の照明システムは、上記いずれかの照明器具と、リモコン装置とを備え、前記リモコン装置は、操作入力を受け付ける操作部と、前記無線信号を送信する送信部と、前記光信号を受信する光受信部と、前記光受信部に受信された前記光信号に示された識別情報を記憶する記憶部と、前記操作部に受け付けられた操作入力と前記記憶部に記憶された識別情報とに応じた無線信号を送信するように前記送信部を制御する制御部とを備えることを特徴とする。
【発明の効果】
【００１５】
本発明によれば、リモコン装置からの無線信号に応じて光信号を送信する場合に比べ、上記の無線信号を送信させる操作のための押釦等をリモコン装置に設ける必要がないから、リモコン装置の簡略化が可能となる。
【図面の簡単な説明】
【００１６】
【図１】本発明の実施形態においてスイッチング素子Ｑ１のオンオフ状態と光源への入力電流Ｉ１との関係の一例を示す説明図である。
【図２】同上を用いた照明システムを示すブロック図である。
【図３】同上の例を示す説明図であり、（ａ）（ｂ）はそれぞれ異なる例を示す。
【図４】同上とともに用いられるリモコン装置の例を示す説明図である。
【図５】同上を示す回路ブロック図である。
【発明を実施するための形態】
【００１７】
以下、本発明を実施するための最良の形態について、図面を参照しながら説明する。
【００１８】
図２〜図４に示すように、本実施形態の照明器具１は天井面３などの施工面に固定されるものであり、使用者によって携行されるリモコン装置２とともに照明システムを構成する。照明器具１は、図３（ａ）のように天井面３に直付けされるものであってもよいし、図３（ｂ）のように天井面３に設けられた埋込穴（図示せず）に埋込固定されるものであってもよい。
【００１９】
照明器具１は、電気的な光源１０と、光源１０を駆動する光源駆動回路１１とを備える。本実施形態における光源１０は発光ダイオードアレイからなる。光源駆動回路１１は、図５に示すように、外部の交流電源４から入力された交流電力を所定電圧の直流電力に変換する周知のＡＣ−ＤＣコンバータ１１１を有する。ＡＣ−ＤＣコンバータ１１１は、例えば、ダイオードブリッジと、ＰＦＣ回路や昇圧チョッパ回路とも呼ばれる周知のブーストコンバータとが組み合わされたものである。また、光源駆動回路１１は、ＡＣ−ＤＣコンバータ１１１の出力電圧を降圧して光源１０に入力する周知のバックコンバータ１１２を有する。バックコンバータ１１２は例えば出力電流（すなわち光源１０への入力電流）Ｉ１を一定とするようにフィードバック制御される。なお、電源として電池等の直流電源が用いられる場合、ＡＣ−ＤＣコンバータ１１１は省略される。また、バックコンバータ１１２に代えて、フライバックコンバータやＣｕｋコンバータ等の他の周知のＤＣ−ＤＣコンバータを用いてもよい。
【００２０】
また、照明器具１は、リモコン装置２から送信される無線信号を受信する受信回路１２と、受信回路１２に受信された無線信号に応じて光源駆動回路１１を制御する制御回路１３とを備える。各照明器具１にはそれぞれ固有の識別情報（ＩＤやアドレスとも呼ばれるもの）が割り当てられて制御回路１３に記憶されている。また、上記の無線信号には、送信先の照明器具１の識別情報が少なくとも１個含まれている。制御回路１３は、受信回路１２に受信された無線信号のうち、上記の識別情報を含む無線信号のみに従って動作する。上記の無線信号は例えば電波を媒体とするものである。上記の受信回路１２と制御回路１３とはそれぞれ周知技術によって実現可能であるので詳細な図示並びに説明は省略する。上記の無線信号に従った動作としては、光源１０の点灯・消灯のほか、光源１０の光出力の変更が考えられる。光源１０の光出力の変更は、例えば、バックコンバータ１１２の出力電流Ｉ１の目標値の変更によって達成される。また、それぞれ光色が異なる複数個の光源１０を有し、バックコンバータ１１２を光源１０毎に有する場合、各バックコンバータ１１２の出力を個別に変化させることで、複数個の光源１０の混色による全体としての光色を変化させることも可能である。
【００２１】
制御回路１３は、ＡＣ−ＤＣコンバータ１１１の出力電圧を一定とするようにフィードバック制御する第１制御部１３１と、バックコンバータ１１２を制御する第２制御部１３２と、識別情報を記憶する記憶部１３４とを備える。
【００２２】
リモコン装置２は、操作入力を受け付ける操作部２１と、無線信号を送信する送信部２２と、識別情報を記憶する記憶部２３とを備える。また、リモコン装置２は、操作部２１に受け付けられた操作入力と記憶部２３に記憶された識別情報とに応じた無線信号を送信するように送信部２２を制御する制御部２４とを備える。さらに、リモコン装置２は、操作部２１に受け付けられた操作入力に応じた表示を行う表示部２５を備える。表示部２５は例えば周知の液晶パネルからなる。また、操作部２１は、表示部２５と構造上一体化された周知のいわゆるタッチパネルを用いて構成してもよいし、押釦スイッチ等の他の周知の入力装置を用いて構成してもよい。さらに、記憶部２３としては、周知の不揮発性メモリを用いることができる。制御部２４は、例えばマイコンを用いて周知技術で実現可能であるので詳細な図示並びに説明は省略する。
【００２３】
また、リモコン装置２は、光源１０の光を媒体とした光信号を受信する光受信部２６を備える。このような光受信部２６は、フォトダイオードなどの受光素子を用いて実現してもよいし、ＣＭＯＳイメージセンサなどの撮像素子を用いて実現してもよい。いずれの場合にも、光受信部２６は周知技術で実現可能であるので、詳細な図示並びに説明は省略する。
【００２４】
上記のリモコン装置２としては、図４に示すようなタブレット端末やスマートフォンを用いてもよい。
【００２５】
以下、本発明の特徴部分について説明する。
【００２６】
照明器具１の制御回路１３は、図１に示すように、電源が投入されたタイミングｔ０から所定時間（以下、「第１送信時間」と呼ぶ。）Ｔ１が経過したタイミングｔ１までの期間、光信号を送信するように光源駆動回路１１を制御するという光送信動作を行う。上記の光信号には、予め自身（照明器具１）に割り当てられた識別情報（つまり記憶部１３４に記憶された識別情報）が示される。電源が投入されたタイミングｔ０は、具体的には例えば外部の交流電源４が接続されたタイミングである。また、光信号は、照明用の光源である光源１０の光の強度変調により送信される。具体的には、光源駆動回路１１は、図５に示すように、バックコンバータ１１２の出力端間において光源１０に直列に接続されたスイッチング素子Ｑ１と抵抗Ｒ１との直列回路を有する。また、制御回路１３は、スイッチング素子Ｑ１をオンオフ駆動する第３制御部１３３を備える。すなわち、上記の強度変調は、上記のスイッチング素子Ｑ１のオンオフ駆動により達成される。図５の例では、スイッチング素子Ｑ１としての電界効果トランジスタは、ソース側がドレイン側よりも高電圧となるような向きで（つまりボディダイオードの向きを順方向として）接続されている。上記の光信号の周波数は、上記の強度変調が人の目に点滅として認識されない程度に十分に高い周波数（例えば９．６ｋＨｚ）とされる。上記の光信号には、識別情報以外の情報（例えば、照明器具１の種別や、照明器具１の位置など）が含まれていてもよい。
【００２７】
リモコン装置２において、制御部２４は、光受信部２６に上記の光信号が受信されると、受信された光信号に示された識別情報を記憶部２３に追加して記憶する。そして、以後は、送信する無線信号に示す識別情報に上記の識別情報を追加する。
【００２８】
上記構成によれば、リモコン装置２からの無線信号に応じて照明器具１が光信号を送信する場合に比べ、上記の無線信号を送信させる操作のための押釦等をリモコン装置２に設ける必要がないから、リモコン装置２の簡略化が可能となる。また、図４の例のようにリモコン装置２の操作部２１が表示部２５と一体化されたタッチパネルのみからなる場合であっても、上記の無線信号を送信させるためのボタン（アイコン）をタッチパネル上に表示する必要がないことにより、操作性が改善される。
【００２９】
また、照明器具１において、制御回路１３は、光送信動作中には、光源１０への出力電流Ｉ１のピーク値を、光送信動作中でない期間中の光源１０への出力電流Ｉ１よりも低くするように光源駆動回路１１を制御する。すなわち、光送信動作の終了後には、光源１０の光束が上昇する。上記動作は、例えば、バックコンバータ１１２の出力電流Ｉ１の目標値を、光送信動作中には他の期間よりも低くすることによって達成される。上記構成により、光信号の強度が抑えられることになるから、照明器具１間での光信号の干渉が抑えられる。
【００３０】
さらに、制御回路１３が、上記のような電源投入直後以外にも、光源１０の点灯が継続されている期間中に、光送信動作を定期的に行ってもよい。この場合、所定の非送信時間にわたって光源１０の光束を一定にする動作と、所定の第２送信時間にわたって光信号を送信する光送信動作とが、交互に繰り返される。上記の第２送信時間は第１送信時間（すなわち電源オン直後の光送信動作の継続時間）と一致していてもよいし異なっていてもよい。この構成を採用すれば、複数個の照明器具１の識別情報をリモコン装置２に記憶させる際に、照明器具１毎に電源を投入する作業が不要となる。
【００３１】
また、光源１０としては、発光ダイオードアレイに代えて、例えば有機ＥＬなどの他の周知の電気的な光源を用いてもよい。
【００３２】
さらに、光源１０を複数個備える場合、一部の光源１０のみを光信号の送信に用いてもよい。この場合、光源１０毎に配光が異なっていれば、光信号の送信に用いる光源１０の選択により、光信号が送信される方向を選択することができる。
【符号の説明】
【００３３】
１  照明器具
２  リモコン装置
１０  光源
１１  光源駆動回路
１２  受信回路
１３  制御回路
２１  操作部
２２  送信部
２３  記憶部
２４  制御部
２６  光受信部
【図１】
2014216855.tif 000003
【図２】
2014216855.tif 000004
【図３】
2014216855.tif 000005
【図４】
2014216855.tif 000006
【図５】
2014216855.tif 000007